(57)【要約】【課題】      魚投入口を有する蓋体の裏面に着脱自在に袋を取り付けて汚れや臭い付を防止した釣り用びくを提供すること。【解決手段】  蓋体２の中央に変形した長い楕円形の硬質合成樹脂の枠体３、４が内側と外側から蓋体２の素材を挾むように固定されている。  枠体４には変形した長い楕円形の魚投入口４ａが形成されている。  枠体３の内側には蝶番を構成する２組の軸支部３ａ、３ｂが長辺に対向して夫々下方に向けて突出形成されて魚投入口４ａを開閉自在に閉じる中蓋５、５を軸６で枢着し、一方の軸支部３ａ、３ｂの長手方向の外側には中袋７を係止する係止具のフレ−ム状部材８の軸支部８ａ、８ｂが軸６で枢着されている。  フレ−ム状部材８の軸支部８ａ、８ｂ位置を除く他の箇所は厚肉に形成されて厚肉面８ｄは、枠体３の対向する面３ｃとの間に中袋７が挾持可能に形成されている。【選択図】        図４
2005143314.tif 000002
【特許請求の範囲】
【請求項１】
上方に開口を有する容器本体と、該容器本体の前記開口を閉塞する蓋体を有し、前記蓋体に魚投入口を設けた釣り用びくにおいて、前記蓋体の内側に、前記魚投入口に沿って袋の開口を止着する係止具を設けたことを特徴とする釣り用びく。
【請求項２】
前記袋の開口を止着する係止具は蓋体の内側に、魚投入口に沿って設けたフレ−ム状部材であることを特徴とする請求項１記載の釣り用びく。
【請求項３】
前記フレ−ム状部材は、蓋体の内側に、回動自在に枢着されていることを特徴とする請求項２記載の釣り用びく。
【請求項４】
フレ−ム状部材は、蓋体の内側に着脱自在に係止されることを特徴とする請求項２記載の釣り用びく。
【発明の詳細な説明】
【技術分野】
【０００１】
本発明は、内壁を覆う袋を着脱自在に取り付け可能にした釣り用びくの改良に関する。
【背景技術】
【０００２】
従来から釣り用びくは、特許文献１のように、容器体からなるびく本体と魚を入れる魚投入口を有し、釣った魚を入れて持ち運べるようになっている。
しかし、魚を入れたびくは、魚による汚れや臭いが付いてしまうため、使用後はびくの洗浄が必要であった。
また、びくの中にビニ−ル袋を入れて魚を収納することもできるが、魚が釣れるたびにビニ−ル袋を取り出して釣った魚を収納しなければならず面倒であった。
【特許文献１】登録実用新案第３０２５１４７号公報
【発明の開示】
【発明が解決しようとする課題】
【０００３】
解決しようとする問題点は、魚を入れたびくは、魚による汚れや臭いが付いてしまうため、使用後はびくの洗浄が必要であった。
また、びくの中にビニ−ル袋を入れて魚を収納すると、魚が釣れるたびにビニ−ル袋を取り出して釣った魚を収納しなければならず面倒であったことである。
【０００４】
本発明の目的は前記欠点に鑑み、魚投入口を有する蓋体の裏面に着脱自在に袋を取り付けて汚れや臭いが付くことを防止した釣り用びくを提供することである。
【課題を解決するための手段】
【０００５】
本発明の請求項１は、上方に開口を有する容器本体と、該容器本体の前記開口を閉塞する蓋体を有し、前記蓋体に魚投入口を設けた釣り用びくにおいて、前記蓋体の内側に、前記魚投入口に沿って袋の開口を止着する係止具を設けたことを要旨とするものである。
本発明の請求項２は、前記袋の開口を止着する係止具は蓋体の内側に、魚投入口に沿って設けたフレ−ム状部材であることを要旨とするものである。
本発明の請求項３は、前記フレ−ム状部材は、蓋体の内側に、回動自在に枢着されていることを要旨とするものである。
本発明の請求項４は、フレ−ム状部材は、蓋体の内側に着脱自在に係止されることを要旨とするものである。
【発明の効果】
【０００６】
本発明により、釣った魚を魚投入口からびくの中に入れると、魚投入口に沿って開口を止着した中袋の中に入るため、びくの内壁を汚すことが防止される。
【発明を実施するための最良の形態】
【０００７】
釣り用びくは、蓋体２の中央に楕円形の合成樹脂の枠体３、４が内側と外側から蓋体２の素材を挾むように固定されている。
枠体４には楕円形の魚投入口４ａが形成されている。
枠体３の内側には蝶番を構成する２組の軸支部３ａ、３ｂが長辺に対向して夫々下方に向けて突出形成されて魚投入口４ａを開閉自在に閉じる中蓋５、５を軸６で枢着し、一方の軸支部３ａ、３ｂの長手方向の外側には中袋７を係止する係止具のフレ−ム状部材８の軸支部８ａ、８ｂが軸６で枢着されている。
枠体３の２組の軸支部３ａ、３ｂ位置を除く他の面３ｃは平面に形成されている。
【０００８】
係止具のフレ−ム状部材８は硬質合成樹脂で変形した長い楕円形の魚投入口４ａの形状に沿った形状に形成されて内側に変形した長い楕円形の魚投入口４ａの形状に沿った透孔８ｃが形成されている。
フレ−ム状部材８の軸支部８ａ、８ｂ位置を除く他の箇所は厚肉に形成されて厚肉面８ｄは、枠体３の対向する面３ｃとの間に中袋７が挾持可能に形成されている。
【実施例１】
【０００９】
以下、図示の実施例によって本発明を説明すると、図１から図５は第１実施例で、図１は釣り用びくの外観斜視図、図２は釣り用びくの平面図、図３は釣り用びくの断面正面図、図４は蓋体の裏面と係止具の分解斜視図、図５は釣り用びくの断面側面図と上部拡大断面側面図である。
【００１０】
釣り用びくは防水性を有するゴムや合成樹脂で容器本体１と蓋体２が形成されて容器本体１の上方の開口の縁にチャック１０で蓋体２が開閉自在に取り付けられて開口が閉塞されている。
蓋体２の中央には楕円形の開口２ａが形成されて開口２ａに硬質合成樹脂の枠体３、４が内側と外側から蓋体２の素材を挾むように固定されている。
枠体３、４は開口２ａの形状に合わせて変形した長い楕円形に形成されている。
内側の枠体３には蝶番を構成する２組の軸支部３ａ、３ｂが長辺に対向して夫々下方に向けて突出形成されている。
枠体３の２組の軸支部３ａ、３ｂ位置を除く他の面３ｃは平面に形成されている。
【００１１】
枠体４には楕円形の魚投入口４ａが形成されている。
魚投入口４ａは中蓋５、５で開閉自在に閉じられている。
中蓋５には蝶番を構成する軸支部５ａが形成されている。
枠体３の２組の軸支部３ａ、３ｂの間に中蓋５の軸支部５ａが配置されて、それぞれの中心には軸支部３ａ、３ｂ、軸支部５ａを連通するようにした透孔が穿設され、これらの透孔に軸６が挿入されている。
中蓋５は軸支部５ａにて軸６を中心に回動して、容器本体１の内側へ向かって開き、軸６に巻回された発条１１で魚投入口４ａを閉じるように付勢されている。
【００１２】
一方の軸支部３ａ、３ｂの長手方向の外側には中袋（袋）７を係止する係止具のフレ−ム状部材８の軸支部８ａ、８ｂが軸６’で枢着されている。
軸６’は、軸支部３ａ、３ｂ、軸支部８ａ、８ｂの透孔に連通して差し込まれている。
中袋７は合成樹脂の薄い材料で形成されているビニ−ル袋等で、使用する度に交換され、釣人がそれぞれ気に入ったものを止着することができる。
【００１３】
係止具のフレ−ム状部材８は合成樹脂で楕円形の魚投入口４ａの形状に沿った形状に形成されて内側に楕円形の魚投入口４ａの形状に沿った透孔８ｃが形成されている。
フレ−ム状部材８は軸支部８ａ、８ｂで軸６’にて回動自在に蓋体２に支持され、軸支部８ａ、８ｂ位置を除く他の箇所は厚肉に形成されて厚肉面８ｄは、枠体３の対向する面３ｃとの間に中袋７が挾持可能に形成されている。
フレ−ム状部材８の各軸支部に対応する位置には中蓋５を開閉可能にするために凸部８ｅ、８ｆと凹部８ｇ、８ｈが形成されている。
厚肉面８ｄの一箇所には軸６’を各軸支部に通す為に溝８ｉが形成されている。
【００１４】
中袋７が取り付けられる時は、フレーム状部材８を中袋７の中に入れるようにして、中袋７の開口をフレーム状部材８の外側から、透孔８ｃの内側にへ差し込むようにフレーム状部材８で折り返し、（または、フレ−ム状部材８の透孔８ｃに中袋７の開口を差し込んで外側に折り返してもよい）、フレ−ム状部材８が枠体３の面３ｃに重ねられると、フレ−ム状部材８の凹部８ｈが枠体３の軸支部３ａ、３ｂに係合し、魚投入口４ａに沿うように蓋体２の裏側に保持（係止）される。
【００１５】
この時、フレーム状部材８は、蓋体２の裏側との間にビニール袋等の中袋７を差し込むことができる間隙を有しており、中袋７はフレ−ム状部材８と蓋体２（枠体３の面３ｃ）の間に挾持される。
この挟持の状態は、フレーム状部材８にて折り返して取り付けた中袋７の折り返し部が蓋体２に押圧されるように狭持される場合だけでなく、中袋７の折り返し部の皺が蓋体２に触れてズレが防止される程度の余裕を有した状態のものも含む。
魚投入口４ａから魚が投入される時は、中蓋５、５が上から魚投入口４ａの中へ押し込まれると、中蓋５、５が発条１１に抗して下側に開き魚の投入ができ、フレーム状部材８は、蓋体２の裏側において、魚投入口４ａを取り囲むように設けられているため、フレーム状部材８に中袋７の開口を沿わせて取り付けると、中袋７は、フレーム状部材８に開口を開いた状態で保持され、投入された魚はびくの内壁に触れずに中袋７の中に収容される。
【００１６】
前記のように釣り用びくが構成されると、釣った魚を魚投入口４ａからびくの中に入れると、魚投入口４ａに沿って開口を止着した中袋７の中に入るため、びくの内壁を汚すことがない。
また、中袋７の開口をフレーム状部材８の透孔８ｃに差し込んで折り返して保持するため、中袋７を容易に着脱することができる。
しかも、このように中袋７を保持できるため、中袋７に孔を開けずに止着することができ、収納した魚の重さで袋が破けることが防止される。
【実施例２】
【００１７】
図６、図７は第２実施例で、図６は釣り用びくの断面側面図と上部拡大断面側面図、図７は蓋体の裏面図である。
【００１８】
第２実施例では、蓋体２の裏側の枠体３の面３ｃの外周複数箇所に突出部３ｄが形成されて突出部３ｄに夫々Ω字状のホルダ−である凹部３ｅが形成されている。
凹部３ｅは下方側に向かって開口が解放した状態で設けられ、中袋（袋）７を取り付けたフレ−ム状部材９が係止される。
フレ−ム状部材９は合成樹脂で形成され、可撓性を有し、魚投入口４ａに合致した形状でこれを取り囲むように設けられている。
【００１９】
第２実施例で係止具は、枠体３の凹部３ｅとフレ−ム状部材９で構成され、凹部３ｅ内に中袋７を狭持しながらフレーム状部材９が着脱自在に係合するようになっている。
この実施例ではフレーム状部材９を蓋体２から取り外して中袋７を取り付けられるため、中袋７のフレーム状部材９への取付が容易である。
他の構成は前記第１実施例と略同一である。
【実施例３】
【００２０】
図８、図９は第３実施例で、図８は釣り用びくの断面側面図と上部拡大断面側面図、図９は蓋体の裏面図である。
【００２１】
第３実施例では、蓋体２の裏側において枠体３’の外周複数箇所に外周方向に向けて突出部３ｄ’が形成され、突出部３ｄ’の上方側（蓋体２側）に夫々Ω字状のホルダ−である凹部３ｅ’が形成されて、フレ−ム状部材９’が係止可能になっている。
フレ−ム状部材９’は合成樹脂で形成され、可撓性を有し、魚投入口４ａに合致した形状でこれを取り囲むように設けられるが、フレ−ム状部材９’に中袋（袋）７を取り付け、その可撓性を利用してフレ−ム状部材９’変形させながらそれぞれの突出部３ｄ’と蓋体２の裏面側との間に差し込んで取り付ける。
この時、フレ−ム状部材９’は、指で押圧操作を行うための突部９ａ’を有しているためこれを押圧しながらフレ−ム状部材９’を変形させてそれぞれの突出部３ｄ’に掛止させることができ、凹部３ｅ’内に中袋７を狭持しながら係止（または収納）されるようになっている。
【００２２】
この実施例ではフレーム状部材９’を蓋体２から取り外して中袋７を取り付けられるため、中袋７のフレーム状部材９’への着脱が容易であり、フレ−ム状部材９’は、突出部３ｄ’と蓋体２の裏面側との間に差し込んで突出部３ｄ’の上側に係止するため、着脱自在に係止され、脱落しにくい。
他の構成は前記第１実施例と略同一である。
【００２３】
前記説明では係止具を蓋体２の内側に、魚投入口４ａに沿って設けて回動自在に枢着されたフレ−ム状部材８や枠体３の外周複数箇所に突出形成された突出部３ｄのΩ字状の凹部３ｅに係止されるフレ−ム状部材９としたり、フレ−ム状部材９’を係止可能な突出部を設けた例で説明したが、他の構成の係止具であってもよい。
【産業上の利用可能性】
【００２４】
釣り用ビク全般に実施できる。
【図面の簡単な説明】
【００２５】
【図１】第１実施例で、釣り用びくの外観斜視図である。
【図２】同釣り用びくの平面図である。
【図３】同釣り用びくの断面正面図である。
【図４】同蓋体の裏面と係止具の分解斜視図である。
【図５】同釣り用びくの断面側面図と上部拡大断面側面図である。
【図６】第２実施例で、釣り用びくの断面側面図と上部拡大断面側面図である。
【図７】同蓋体の裏面図である。
【図８】第３実施例で、釣り用びくの断面側面図と上部拡大断面側面図である。
【図９】同蓋体の裏面図である。
【符号の説明】
【００２６】
１  容器本体
２  蓋体
４ａ  魚投入口
７  袋
８、９、９’フレ−ム状部材
【図１】
2005143314.tif 000003
【図２】
2005143314.tif 000004
【図３】
2005143314.tif 000005
【図４】
2005143314.tif 000006
【図５】
2005143314.tif 000007
【図６】
2005143314.tif 000008
【図７】
2005143314.tif 000009
【図８】
2005143314.tif 000010
【図９】
2005143314.tif 000011